(57)【特許請求の範囲】
【請求項１】
絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動する走査ドライバ回路およびデータドライバ回路からなるドライバ回路と、を具備し、各画素電極に設けた電気光学変換機能を備えた表示媒体を動作させて表示するアクティブマトリクス表示装置において、
ひとつの画面上にふたつの画面領域を備え、そして、該ふたつの画面領域のうちのひとつの画面領域は、画素電極アレイ配列ピッチが他の画面領域の画素電極アレイ配列ピッチと相違するとともに、
上記ふたつの画面領域のうちのひとつの画面領域は、少なくとも一部分が他の画面領域と重なり合う位置関係に有り、そして、重なり合った一方の画面領域の画素電極アレイ配列ピッチと他方の画面領域の画素電極アレイ配列ピッチとの比が整数比であり、
上記ふたつの画面領域には、それぞれの画面領域に共通の走査ドライバ回路とそれぞれの画面領域に対応するふたつのデータドライバ回路が設けられており、
上記ふたつの画面領域の走査信号線に接続された走査ドライバ回路及びデータ信号線に接続されたふたつのデータドライバ回路を独立して動作状態又は非動作状態とする信号を供給する共通ドライバ選択端子を有し、ふたつの画面領域を選択的にまたは両画面同時に動作させることを特徴とするアクティブマトリクス表示装置。
【請求項２】
上記重なり合った部分以外の各画素の開口部の形状は、画素電極アレイ配列ピッチの小さい方の画面領域の形状と同一である請求項１に記載のアクティブマトリクス表示装置。
【請求項３】
上記ドライバ回路は、上記絶縁性基板上に形成されることを特徴とする請求項１または請求項２に記載のアクティブマトリクス表示装置。
【請求項４】
絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動する走査ドライバ回路およびデータドライバ回路からなるドライバ回路と、を具備し、各画素電極に設けた電気光学変換機能を備えた表示媒体を動作させて表示するアクティブマトリクス表示装置において、
ひとつの画面上にふたつの画面領域を備え、そして、該ふたつの画面領域のうちのひとつの画面領域は、モノクロームまたは２階調の表示画面領域であり、また、ひとつの画面領域は、カラー表示画面領域であり、
上記ふたつの画面領域には、それぞれの画面領域に共通の走査ドライバ回路およびそれぞれの画面領域に対応するふたつのデータドライバ回路が設けられており、
上記ふたつの画面領域の走査信号線に接続された走査ドライバ回路及びデータ信号線に接続されたふたつのデータドライバ回路を独立して動作状態又は非動作状態とする信号を供給する共通ドライバ選択端子を有し、ふたつの画面領域を選択的にまたは両画面同時に動作させることを特徴とするアクティブマトリクス表示装置。
【請求項５】
絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動する走査ドライバ回路およびデータドライバ回路からなるドライバ回路と、を具備し、各画素電極に設けた電気光学変換機能を備えた表示媒体を動作させて表示するアクティブマトリクス表示装置において、
ひとつの画面上にふたつの画面領域を備え、そして、該ふたつの画面領域のうちのひとつの画面領域は、画素電極の配列が縦横にそれぞれ単一のピッチであり、また、ひとつの画面領域は、画素電極の配列が、縦もしくは横のうちの一方は単一ピッチであり、かつ、他方は１列毎に半ピッチシフトしており、
上記ふたつの画面領域には、それぞれの画面領域に共通の走査ドライバ回路およびそれぞれの画面領域に対応するふたつのデータドライバ回路が設けられており、
上記ふたつの画面領域の走査信号線に接続された走査ドライバ回路及びデータ信号線に接続されたふたつのデータドライバ回路を独立して動作状態又は非動作状態とする信号を供給する共通ドライバ選択端子を有し、ふたつの画面領域を選択的にまたは両画面同時に動作させることを特徴とするアクティブマトリクス表示装置。
【請求項６】
絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動する走査ドライバ回路およびデータドライバ回路からなるドライバ回路と、を具備し、各画素電極に設けた電気光学変換機能を備えた表示媒体を動作させて表示するアクティブマトリクス表示装置において、
ひとつの画面上にふたつの画面領域を備え、そして、該ふたつの画面領域の内のひとつの画面領域は、反射型であり、かつ、他の画面領域内のひとつは、透過型または半透過型であり、
上記ふたつの画面領域には、それぞれの画面領域に共通の走査ドライバ回路およびそれぞれの画面領域に対応するふたつのデータドライバ回路が設けられており、
上記ふたつの画面領域の走査信号線に接続された走査ドライバ回路及びデータ信号線に接続されたふたつのデータドライバ回路を独立して動作状態又は非動作状態とする信号を供給する共通ドライバ選択端子を有し、ふたつの画面領域を選択的にまたは両画面同時に動作させることを特徴とするアクティブマトリクス表示装置。
【請求項７】
上記ドライバ回路に接続される共通電源ライン及び共通画像データラインを有する請求項１ないし請求項６のいずれか１項に記載のアクティブマトリクス表示装置。
【請求項８】
上記スイッチング素子及びドライバ回路は、薄膜トランジスタＴＦＴで構成し、そして、該ＴＦＴの活性層は、多結晶シリコンで形成されている請求項１ないし請求項６のいずれか１項に記載のアクティブマトリクス表示装置。
【請求項９】
上記電気光学変換機能を備えた表示媒体は、液晶又は有機ＥＬ素子である請求項１ないし請求項６のいずれか１項に記載のアクティブマトリクス表示装置。
【発明の詳細な説明】
【０００１】
【発明の属する技術分野】
本発明は、同一基板上に複数の画面領域を備える表示装置であり、特にポリシリコン薄膜トランジスタを用いたドライバ一体型アクティブマトリクス表示装置に関する。
【０００２】
【従来の技術】
従来、平面型表示装置として、液晶ディスプレイ、ＥＬ（電界ルミネッセンス）ディスプレイ等が知られている。これらの表示装置は、一画面の中の画素ピッチは単一である。例えば液晶ディスプレイでは、対角８インチの大きさのＶＧＡ（４８０×６４０画素）規格では、画素ピッチは２５４μｍとなり、これは１００ｄｐｉ（１インチ当りの画素数）の解像度に相当する。さらに、カラー表示ができる液晶表示装置は、一つの画素を３つのサブ画素に分けて、これらに色の三原色、即ち、Ｒ、Ｇ、Ｂのカラーフィルタを対応させることにより、色表示を実現している。また、上記ＶＧＡ，  画面の画素配列は、ストライプ状となっている。
【０００３】
これらのディスプレイにおいて、特に、表示しようとする画像データが特定されている場合、ディスプレイの仕様が必ずしもマッチングしない問題が有る。例えば２つの画像データを、一方は画面大に、もう一方は画面に対して１／４の大きさに縮小表示する場合には、縮小表示する画像に割り当てられるディスプレイの画素数は画面全体に画像データを表示する場合の１／４になり、画像が粗くなってしまう。これを防ぐ為には、元の画素数を４倍とし、解像度を（縦、横両方向とも）２倍にした画面が必要となる。しかしながら、画面全体の解像度を高くすると、消費電力増大、画像信号処理回路の増加によるコストアップ等の問題が生じる。また、例えば画像データと任意の文字データを同時に表示しようとした場合には、文字データを、画像データにオーバーラップして表示せざるを得ず、背景となる画像データの一部が欠落する問題が生じる。
【０００４】
この対策として画面の切り替えを時間的に行い、モノクロの文字情報だけを表示させた場合は、画像データとの関連付けに乏しくなり、また、モノクロの文字情報を表示している間はカラーフィルタの必要性が無く、ディスプレイの仕様がミスマッチングな状態に有る。
【０００５】
また、上述の画素配列がストライプ状となっている画面は、文字や図形データを表示するには適しているが、動画を表示する際には、画素電極の配列が、縦もしくは横のうち、一方は単一ピッチであり、他方は１列毎に半ピッチシフトしている配列を取る方が、見かけの解像度が上がることが知られている。従って、表示しようとするデータに応じた画素配列となっていることが望ましい。
【０００６】
以上、例示した問題に関して、例えば特開平２−８３５８３号公報には、所定の画素密度を持つ第１の表示領域と該画素密度より高密度の画素密度を持つ第２の表示領域を同一表示面に形成し、かつ第１及び第２の主走査線アドレスを共用することにより、同一画像を解像度を変えて表示できる技術が開示されている。しかしながら、この技術では、見かけの解像度を変えて表示することはできるが、上述の２つの大きさの異なる画像データを画質劣化なしに表示することはできない。
【０００７】
また、特開平５−１３４２３５号公報には、固定パターン表示群と、多数のドットから成る任意パターン表示部とを同一表示面上に設ける技術が開示されている。しかしながら、この技術では、任意の文字データを固定パターン表示部に表示することはできない。
【０００８】
【発明が解決しようとする課題】
本発明の目的は、従来の問題を解決することであり、複数の画面領域にそれぞれ最適な画像を表示することにより、原画像のもつ特性を生かした表示を行うことができ、そして、必要最小限の画面領域だけを動作させることにより、表示装置の消費電力も低減することが可能な表示装置を提供することである。
【０００９】
【課題を解決するための手段】
本発明は、絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動するドライバ回路と、を具備し、各画素電極に設けた電気光学変換機能を備えた表示媒体を動作させて表示するアクティブマトリクス表示装置において、同一平面上に複数の画面領域を備え、そして、該複数の画面領域のうちの少なくともひとつの画面領域は、画素電極アレイ配列ピッチが他の画素領域のピッチと相違するように形成される表示装置である。
【００１０】
また、本発明は、上記複数の画面領域のうちの少なくともひとつの画面領域は、少なくとも一部分が他の画面領域と重なり合う位置関係に有り、そして、重なり合った一方の画面領域の画素電極アレイ配列ピッチと他方の画面領域のピッチとの比が簡単な整数比である表示装置である。
【００１１】
そして、本発明は、上記重なり合った部分以外の各画素の開口部の形状は、画素電極アレイ配列ピッチの小さい方の画面領域の形状と同一である表示装置である。
【００１２】
更に、本発明は、絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動するドライバ回路と、を具備し、各画素電極に設けた電気光学変換機能を備えた表示媒体を動作させて表示するアクティブ、マトリクス表示装置において、同一平面上に複数の画面領域を備え、そして、該複数の画面領域のうちの少なくともひとつの画面領域は、モノクロームまたは２階調の表示画面領域であり、また、少なくともひとつの画面領域は、カラー表示画面領域である表示装置である。
【００１３】
また、本発明は、絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動するドライバ回路と、を具備し、各画素電極に設けた電気光学変換機能を備えた表示媒体を動作させて表示するアクティブマトリクス表示装置において、同一平面上に複数の画面領域を備え、そして、該複数の画面領域のうちの少なくともひとつの画面領域は、その画素電極の配列が縦横にそれぞれ単一のピッチであり、また、少なくともひとつの画面領域は、その画素電極の配列が、縦もしくは横のうちの一方は単一ピッチであり、かつ、他方は１列毎に半ピッチシフトしている表示装置である。
【００１４】
また、本発明は、絶縁性基板上にアレイ状に配置された、複数の画素電極及び該画素電極を選択する画素スイッチング素子と、マトリクス状に配置され、前記画素スイッチング素子に接続された走査信号線及びデータ信号線と、該走査信号線及びデータ信号線を介して画素電極及び画素スイッチング素子を駆動するドライバ回路と、を具備し、各画素電極に設けた電気光学変換機能を備えた表示媒体を動作させて表示するアクティブマトリクス表示装置において、同一平面上に複数の画面領域を備え、そして、該複数の画面領域のうちの少なくともひとつの画面領域は、反射型であり、かつ、他の画面領域の内、少なくとも一つは透過型または半透過型である表示装置である。
【００１５】
そして、本発明は、複数のドライバ回路に接続される共通走査電源ライン及び共通画像データラインを有する表示装置である。
【００１６】
更に、本発明は、上記複数の画面領域の走査信号線及びデータ信号線にそれぞれ接続されたドライバ回路を動作状態又は非動作状態とする信号を供給する共通ドライバ選択端子を有する表示装置である。
【００１７】
また、本発明は、上記スイッチング素子及びドライバ回路は、薄膜トランジスタＴＦＴで構成し、そして、該ＴＦＴの活性層は、多結晶シリコンで形成されている表示装置である。
【００１８】
そして、本発明は、上記電気光学変換機能を備えた表示媒体は、液晶又は有機ＥＬ素子である表示装置である。
【００１９】
【発明の実施の形態】
本発明の発明の実施の形態を説明する。
本発明の表示装置の実施例について、図１〜図５を用いて説明する。図１は、本発明の表示装置の説明図である。図２は、実施例１の表示装置に使用する薄膜トランジスタの一例の断面説明図である。図３は、実施例２の表示装置の説明図である。図４は、実施例３の表示装置の説明図である。図５は、実施例４の表示装置の説明図である。図６は本発明の表示装置の変形例である。図７は実施例２の表示装置の変形例である。図８は実施例５の表示装置の説明図である。
【００２０】
本発明の表示装置にかかる実施例１を説明する。本実施例の表示装置は、図１に示すように、絶縁性基板１０上に、画素電極１１ａ，１１ｂ、画素スイッチング素子１２ａ，１２ｂ、走査信号線１３−１ａ，１３−１ｂ及びデータ信号線１３−２ａ，１３−２ｂ、走査ドライバ回路１４−１ａ，１４−１ｂ及びデータドライバ回路１４−２ａ，１４−２ｂ、外部回路との共通接続端子１５等を形成しており、各画素電極に設けた電気光学変換機能を備えた表示媒体を動作させるドライバ一体型アクティブマトリクス表示装置である。複数の画素電極１１ａ，１１ｂ及び画素スイッチング素子１２ａ，１２ｂは、それぞれアレイ状に配置されている。走査信号線１３−１ａ，１３−１ｂ及びデータ信号線１３−２ａ，１３−２ｂは、マトリクス状に配置され、画素スイッチング素子１２ａ，１２ｂに接続されている。走査ドライバ回路１４−１ａ，１４−１ｂ及びデータドライバ回路１４−２ａ，１４−２ｂは絶縁性基板１０上に形成されており、そして、走査信号線１３−１ａ，１３−１ｂ及びデータ信号線１３−２ａ，１３−２ｂを介して画素スイッチング素子１２ａ，１２ｂを駆動し、また、画素電極１１ａ，１１ｂに画像信号を書き込む。実施例１の表示装置は、同一平面上に２つの画面領域１ａ，１ｂを備えており、そして、画面領域１ａと画面領域１ｂとは、画素電極アレイ配列ピッチが相違している。共通接続端子１５は、走査ドライバ回路１４−１ａ，１４−１ｂ及びデータドライバ回路１４−２ａ，１４−２ｂと共通電源ライン及び共通画像データラインを介して接続されている。
【００２１】
画素電極アレイの配列ピッチが異なる複数の画面領域１ａ，１ｂを同一平面上に形成する手段を説明する。第１のガラス基板１０の上に、多結晶シリコン薄膜を半導体層として用いた薄膜トランジスタ（以下、「ポリシリコンＴＦＴ」という。）１２と画素電極１１を縦横に配列し、第１の画面領域１ａ及び第２の画面領域１ｂを形成する。ポリシリコンＴＦＴは、その一例の断面図を図２に示すように、絶縁性基板２０、ポリシリコン薄膜で形成したソース領域２１、ポリシリコン薄膜で形成したチャネル領域２２、ポリシリコン薄膜で形成したドレイン領域２３、ゲート絶縁膜２４、ゲート電極２５、層間絶縁膜２６、金属配線２７、等を有している。
【００２２】
それぞれの画面領域１ａ，１ｂについて、画素電極１１ａ，１１ｂと第２のガラス基板の上に形成した対向電極との間には液晶層（図示せず）が有り、画素電極１１ａ，１１ｂに走査ドライバ回路１４−１ａ，１４−１ｂ及びデータドライバ回路１４−２ａ，１４−２ｂを介して画像信号を書き込むことにより、液晶層に印加する電圧を変化させ、液晶層を通る光量を制御することにより、画像表示を行う。第１の画面領域１ａの解像度は２００ｄｐｉとし、第２の画面領域１ｂの解像度は１００ｄｐｉとした。これらの画面領域１ａ，１ｂを駆動する走査ドライバ回路１４−１ａ，１４−１ｂ及びデータドライバ回路１４−２ａ，１４−２ｂをポリシリコンＴＦＴで形成し、それぞれ画面領域１ａ，１ｂの周囲に配置している。
【００２３】
第１の画面領域１ａを駆動する第１のデータドライバ回路１４−２ａへ供給される電源ライン及び画像データラインは、第２の画面領域１ｂを駆動する第２のデータドライバ回路１４−２ｂへ供給される電源ライン及び画像データラインと共通化して共通接続端子１５に接続しており、外部回路との共通接続端子１５の端子数を低減することができる。また、走査ドライバ回路１４−１ａ，１４−１ｂ及びデータドライバ回路１４−２ａ，１４−２ｂを動作状態又は非動作状態とする信号を供給する共通ドライバ選択端子（図示せず）を設けている。いずれか一方の画面領域のみを動作させる場合は、ドライバ選択信号として、一方はオン状態、他方をオフ状態とする信号とすれば良い。
【００２４】
本発明の表示装置にかかる実施例２を図３を用いて説明する。本実施例の表示装置は、実施例１の表示装置と同様に、絶縁性基板上にアレイ状に配置された、複数の画素電極３１ａ及び画素電極３１ｂを選択する画素スイッチング素子３２ａ，  ，３２ｂと、マトリクス状に配置され、画素スイッチング素子に接続された走査信号線３３−１ａ，３３−１ｂ及びデータ信号線３３‐２ａ，３３‐２ｂと、走査信号線及びデータ信号線を介して画素電極及び画素スイッチング素子を駆動する走査ドライバ回路３４−１及びデータドライバ回路３４‐２ａ，３４‐２ｂと、を具備し、各画素電極に設けた電気光学変換機能を備えた表示媒体を動作させて表示するアクティブマトリクス表示装置であり、その説明は省略する。
【００２５】
実施例２の表示装置の２つの画面領域３ａ，３ｂは、図３に示すように、画面領域の一部が重なり合うように配置されている。画面領域３ａは、１００ｄｐｉに表示することができ、一方、画面領域３ｂは、２００ｄｐｉに表示することができる。その際、開口部の形状について、１００ｄｐｉ画面領域３ａと２００ｄｐｉ画面領域３ｂとは、画素電極アレイ配列ピッチの小さい方の画面領域の形状と同一の形状としている。このように、重なり合った一方の画面領域の画素電極アレイ配列ピッチと他方の画面領域のピッチとの比が簡単な整数比、例えば２：１、３：２、４：３等とすると、重なり合った部分では、画像が違和感無く表示できる。
【００２６】
図３で画面領域３ｂに表示する際には、データドライバ３４−２ｂを動作させ、走査ドライバ３４−１を一部動作させる。また、画面領域３ａと画面領域３ｂとを合わせた全画面に表示する際には、データドライバ３４−２ａを動作させるが、データドライバ３４−２ｂは隣接するデータ線を２本ずつ電気的に接続する状態とし、実質的にデータラインは全てデータドライバ３４−２ａにより駆動する。走査ドライバ３４−１は、全面駆動する。
【００２７】
上記複数の画面領域３ａ，３ｂのうちの少なくともひとつの画面領域３ａは、少なくとも一部分が他の画面領域３ｂと重なり合う位置関係に有り、そして、重なり合った一方の画面領域の画素電極アレイ配列ピッチと他方の画面領域のピッチとの比が簡単な整数比とされている。
【００２８】
本発明の表示装置にかかる実施例２の変形例を図７に示す。図７では、画面領域７ａと画面領域７ｂとは独立したデータ信号線７３−２ａ，７３−２ｂを備えている。画面領域７ａに表示させる場合には、データドライバ７４‐２ａと走査ドライバ７４−１を動作させる。画面領域７ｂに表示させる場合には、データドライバ７４−２ｂと走査ドライバ７４−１の一部を動作させる。画面領域７ａと画面領域７ｂとを合わせた全画面に表示する際には、データドライバ７４‐２ａとデータドライバ７４−２ｂおよび走査ドライバ７４−１を動作させる。
【００２９】
本発明の表示装置にかかる実施例３を図４を用いて説明する。本実施例の表示装置は、同一平面上に形成した複数の画面領域４ａ，４ｂのうちの少なくとも１画面は、モノクローム表示画面であり、かつ、少なくとも１画面領域は、カラー表示画面である。実施例１の表示装置と同様に、絶縁性基板１０上にアレイ状に配置された、複数の画素電極４１ａ，４１ｂ及び該画素電極を選択する図示を省略した画素スイッチング素子と、マトリクス状に配置され、画素スイッチング素子に接続された図示を省略した走査信号線及びデータ信号線と、走査信号線及びデータ信号線を介して画素電極及び画素スイッチング素子を駆動する走査ドライバ回路４４−１ａ，４４−１ｂ及びデータドライバ回路４４‐２ａ，４４‐２ｂと、を具備し、各画素電極に設けた電気光学変換機能を備えた表示媒体を動作させて表示するアクティブマトリクス表示装置であり、その動作は実施例１などに準じて理解できるので説明は省略する。実施例３の表示装置は、図４に示すように、画面領域４ａは対向基板に３原色のカラーフィルタを設けることにより、カラー画像を表示することができるカラー表示画面領域である。一方、画面領域４ｂは対向基板に３原色のカラーフィルターを設けず、モノクローム表示のみ可能で有るモノクローム表示画面領域であり、表示画素としてはすべてのドットを使えるので、解像度は高くなる。従って、文字表示を行うことにより、従来より印刷文字に近い見映えを得ることができる。また、画面領域４ｂを駆動するデータドライバ回路４４‐２ｂは、２階調のデータを扱う構成とすることもできる。
【００３０】
このような表示形態は、例えば携帯電話用ディスプレイに応用する際、普段の待ち受け時はモノクローム画面に２階調で表示し、大容量カラー情報閲覧時にのみカラー画面に表示することにより、待ち受け時の消費電力を抑制することができる。
【００３１】
本発明の表示装置にかかる実施例４を図５を用いて説明する。本実施例の表示装置は、同一平面上に形成した複数の画面領域５ａ，５ｂのうちの少なくとも１画面は、その画素電極５１ａの配列が縦横にそれぞれ単一のピッチであり、また、少なくとも１画面は、その画素電極５１ｂの配列が、縦もしくは横のうちの一方は単一ピッチであり、他方は１列毎に半ピッチシフトした構造としている。実施例４の表示装置も、絶縁性基板１０上にアレイ状に配置された、複数の画素電極及び画素電極を選択する画素スイッチング素子と、マトリクス状に配置され、画素スイッチング素子に接続された走査信号線及びデータ信号線と、走査信号線及びデータ信号線を介して画素電極５１ａ，５１ｂ及び図示を省略した画素スイッチング素子を駆動する走査ドライバ回路５４‐１ａ，５４‐１ｂ及びデータドライバ回路５４‐２ａ，５４‐２ｂと、を具備し、各画素電極に設けた電気光学変換機能を備えた表示媒体を動作させて表示するアクティブマトリクス表示装置であり、その動作は実施例１などに準じて理解できるので説明は省略する。実施例４の表示装置は、図５に示すように、画面領域５ａは、画素５１ａの配列がストライプ状に整列した構造であり、図形や文字等の情報を表示するのに適した画面となっている。対して画面領域５ｂは、画素５１ｂの配列がデルタ状になっており、画像特に動画像の表示を行う際に見かけの解像度が上がる効果が知られている。このような画面構成とすることにより、文字や図形情報は画面領域５ａに、また、画像情報は画面領域５ｂに表示することができる。
【００３２】
本発明の表示装置にかかる実施例５を図８用いて説明する。この実施例の表示装置は、図８に示すように、一方の領域８ｂを反射型画面とし、他の画面８ａを透過型または半透過型画面とし、普段の表示は、周囲光を利用した反射型画面８ｂに表示し、鮮明な画像情報が必要な際には、選択的に透過型または半透過型画面８ａに図示を省略した照明手段を動作させながら表示することにより、トータルの消費電力を低減させることができる。画面領域８ａ，８ｂは、それぞれ、走査ドライバ８４‐１ａ及びデータドライバ８４−２ａ、または、走査ドライバ８４‐１ｂ及びデータドライバ８４−２ｂによって駆動される。
【００３３】
以上の各実施例では、ドライバ回路は、基板上に一体に形成することとしたが、図６に示すようにアモルファスシリコン薄膜トランジスタ１２ａ’、１２ｂ’を画素のスイッチング素子に用い、走査ドライバ回路１４‐１ａ’、１４‐１ｂ’及びデータドライバ回路１４‐２ａ’、１４‐２ｂ’のＬＳＩ部品を別途基板上に接続してもよい。その他の回路構成は、図１の実施例１とほぼ同様であり、説明を省略する。
【００３４】
以上、各実施例では、表示媒体として液晶を使用したが、有機ＥＬ（電界ルミネッセンス）素子などのＥＬ素子を使用することは可能であり、この場合も同様な効果を奏することができる。
【００３５】
【発明の効果】
本発明の表示装置によれば、複数の画面にそれぞれ最適な画像を表示することにより、原画像のもつ特性を生かした表示を行うことができ、そして、必要最小限の画面だけを動作させることにより、表示装置の消費電力も低減することが可能な表示装置を得ることができる。
【図面の簡単な説明】
【図１】実施例１の表示装置の説明図。
【図２】実施例１の表示装置に使用する薄膜トランジスタの一例の断面説明図。
【図３】実施例２の表示装置の説明図。
【図４】実施例３の表示装置の説明図。
【図５】実施例４の表示装置の説明図。
【図６】本発明の変形例の表示装置の説明図。
【図７】実施例２の変形例の表示装置の説明図。
【図８】実施例５の表示装置の説明図。
【符号の説明】
１，３，４，５，７，８  画面領域
１０  絶縁性基板
１１，３１，４１，５１，７１  画素電極
１２，３２，７２  画素スイッチング素子
１３−１，３３−１，７３−１  走査信号線
１３−２，３３−２，７３−２  データ信号線
１４−１，３４−１，４４−１，５４−１，７４−１，８４−１  走査ドライバ回路
１４−２，３４−２，４４−２，５４−２，７４−２，８４−２  データドライバ回路
１５  共通接続端子
２０  絶縁性基板
２１  ソース領域
２２  チャネル領域
２３  ドレイン領域
２４  ゲート絶縁膜
２５  ゲート電極
２６  層間絶縁膜
２７  金属配線
【図１】
0003923238.tif 000002
【図２】
0003923238.tif 000003
【図３】
0003923238.tif 000004
【図４】
0003923238.tif 000005
【図５】
0003923238.tif 000006
【図６】
0003923238.tif 000007
【図７】
0003923238.tif 000008
【図８】
0003923238.tif 000009